(57)【要約】【課題】固定刈刃の中央に設けられた合わせ刃の耐久性を向上させる。【解決手段】多数の固定刃単体（１）を有する固定刈刃（３）の上面側に、多数の可動刃単体（４）を有する左右の可動刈刃（５）を左右相反する方向へ往復摺動自在に載置し、固定刈刃（３）の左右方向中央部に、可動刈刃（５）の摺動方向に対して傾斜する左右の刃縁を有した中央固定刈刃（２）を配置し、中央固定刈刃（２）の先端部を固定刃単体（１）の先端部よりも前方に突出させ、中央固定刈刃（２）の下面側には該中央固定刈刃（２）の左右の刃縁と略同形状の縁部を有するガイドプレート（１０）を設置する。また、ガイドプレート（１０）の先端部を中央固定刈刃（２）の先端部よりも前方に突出させる。【選択図】      図２
2014007979.tif 000002
【特許請求の範囲】
【請求項１】
多数の固定刃単体（１）を有する固定刈刃（３）の上面側に、多数の可動刃単体（４）を有する左右の可動刈刃（５）を左右相反する方向へ往復摺動自在に載置した刈刃装置であって、前記固定刈刃（３）の左右方向中央部に、可動刈刃（５）の摺動方向に対して傾斜する左右の刃縁を有した中央固定刈刃（２）を配置し、該中央固定刈刃（２）の先端部を固定刃単体（１）の先端部よりも前方に突出させ、該中央固定刈刃（２）の下面側には該中央固定刈刃（２）の左右の刃縁と略同形状の縁部を有するガイドプレート（１０）を設置したことを特徴とする刈刃装置。
【請求項２】
前記ガイドプレート（１０）の先端部を中央固定刈刃（２）の先端部よりも前方に突出させた請求項１記載の刈刃装置。
【請求項３】
前記ガイドプレート（１０）の先端部における左右の縁部のなす角度を、中央固定刈刃（２）の先端部における左右の刃縁のなす角度よりも小さく設定した請求項１又は請求項２記載の刈刃装置。
【請求項４】
前記ガイドプレート（１０）の先端部に、中央固定刈刃（２）の先端部の前側を覆う分草体（１１）を設けた請求項１又は請求項２又は請求項３記載の刈刃装置。
【請求項５】
前記ガイドプレート（１０）の先端部を上向きに折り曲げて中央固定刈刃（２）の先端部の前側を覆う位置まで延設した請求項１から請求項４のいずれか一項記載の刈刃装置。
【発明の詳細な説明】
【技術分野】
【０００１】
この発明は、下側の固定刈刃とこの上側に沿って左右に往復摺動する可動刈刃からなるバリカン式の刈刃装置に関する。
【背景技術】
【０００２】
従来、例えば、特許文献１に示されているように、固定刈刃の中央部に通常の刈刃より前方に大きく突設する合わせ刃を備えた構成のバリカン式刈刃装置は一般的に知られている。
【先行技術文献】
【特許文献】
【０００３】
【特許文献１】特開２０１２−２９５９４号公報
【発明の概要】
【発明が解決しようとする課題】
【０００４】
上記構成の合わせ刃では、通常の刈刃より前方に大きく突出しているため、穀稈の株元を切断する前に合わせ刃が先行して左右に押し分けながらガイドすることになるので、これにかかるガイド抵抗が大きくなり、他の刃と比較して早期に磨耗し、刈残しの発生要因となっている。
【課題を解決するための手段】
【０００５】
この発明は、上記課題を解決すべく次のような技術的手段を講じた。
すなわち、請求項１記載の発明は、多数の固定刃単体（１）を有する固定刈刃（３）の上面側に、多数の可動刃単体（４）を有する左右の可動刈刃（５）を左右相反する方向へ往復摺動自在に載置した刈刃装置であって、前記固定刈刃（３）の左右方向中央部に、可動刈刃（５）の摺動方向に対して傾斜する左右の刃縁を有した中央固定刈刃（２）を配置し、該中央固定刈刃（２）の先端部を固定刃単体（１）の先端部よりも前方に突出させ、該中央固定刈刃（２）の下面側には該中央固定刈刃（２）の左右の刃縁と略同形状の縁部を有するガイドプレート（１０）を設置したことを特徴とする刈刃装置とする。
【０００６】
導入される穀稈が中央固定刈刃（２）に達する際に、穀稈の株元を切断する前にガイドプレート（１０）が先行して穀稈を左右に押し分けながら中央固定刈刃（２）の刃縁にガイドするため、中央固定刈刃（２）にかかるガイド抵抗は小さくて済み、合わせ刃の磨耗が低減し、長期に維持し得る。
【０００７】
請求項２記載の発明は、前記ガイドプレート（１０）の先端部を中央固定刈刃（２）の先端部よりも前方に突出させた請求項１記載の刈刃装置とする。
上記構成によると、ガイドプレート（１０）によって穀稈が左右へ良好に押し分けられ、刈り跡の乱れが少なくなる。
【０００８】
請求項３記載の発明は、前記ガイドプレート（１０）の先端部における左右の縁部のなす角度を、中央固定刈刃（２）の先端部における左右の刃縁のなす角度よりも小さく設定した請求項１又は請求項２記載の刈刃装置とする。
【０００９】
上記構成によると、穀稈の分草抵抗をガイドプレート（１０）の先端部で先行して受け、中央固定刈刃（２）の刃縁での切断作用が良好となる。
請求項４記載の発明は、前記ガイドプレート（１０）の先端部に、中央固定刈刃（２）の先端部の前側を覆う分草体（１１）を設けた請求項１又は請求項２又は請求項３記載の刈刃装置とする。
【００１０】
上記構成によると、分草体（１１）が中央固定刈刃（２）の前側を覆うので、この中央固定刈刃（２）上での藁屑や雑草の溜りが少なくなる。
請求項５記載の発明は、前記ガイドプレート（１０）の先端部を上向きに折り曲げて中央固定刈刃（２）の先端部の前側を覆う位置まで延設した請求項１から請求項４のいずれか一項記載の刈刃装置とする。
【００１１】
上記構成によると、ガイドプレート（１０）の先端部を上向きに折り曲げるだけの簡単な構成で、中央固定刈刃（２）の先端部を覆うことができ、製作コストが低減する。
【発明の効果】
【００１２】
請求項１記載の発明によれば、中央固定刈刃（２）の下部にガイドプレート（１０）を設置することで、穀稈の株元を切断する前にこのガイドプレート（１０）が先行して穀稈を左右に押し分けながら中央固定刈刃（２）の刃縁部へガイドするため、この中央固定刈刃（２）にかかるガイド抵抗が小さくなり、中央固定刈刃（２）の磨耗を軽減でき、耐久性を向上させることができる。
【００１３】
請求項２記載の発明によれば、請求項１記載の発明の効果に加えて、ガイドプレート（１０）が中央固定刈刃（２）の先端部より前方に突出しているので、このガイドプレート（１０）によって穀稈を左右に良好に押し分けることができ、刈り跡の乱れを少なくすることができる。
【００１４】
請求項３記載の発明によれば、請求項１又は請求項２記載の発明の効果に加えて、ガイドプレート（１０）の先端部が中央固定刈刃（２）の先端部よりも左右方向に大きくなるので、穀稈の分草抵抗をこのガイドプレート（１０）の先端部で受け、中央固定刈刃（２）の刃縁での穀稈の切断作用が高まる。
【００１５】
請求項４記載の発明によれば、請求項１又は請求項２又は請求項３記載の発明の効果に加えて、ガイドプレート（１０）の先端ぶに設けた分草体（１１）によって中央固定刈刃（２）の先端部の前側を覆うことで、この分草体（１１）によって中央固定刈刃（２）上での藁屑や雑草の溜りを軽減でき、穀稈の切断性能を維持することができる。
【００１６】
請求項５記載の発明によれば、請求項１から請求項４のいずれか一項記載の発明の効果に加えて、ガイドプレート（１０）の先端部を上向きに折り曲げるだけの簡単な構成で、中央固定刈刃（２）の先端部を覆うことができ、製作コストの低減を図ることができる。
【図面の簡単な説明】
【００１７】
【図１】バリカン式刈刃装置の要部の平面図
【図２】同上要部の平面図
【図３】同上要部の側断面図
【図４】合わせ刃とガイドプレートの関係平面図
【図５】刈刃装置の要部の分解斜視図
【図６】別例刈刃装置の要部の平面図
【図７】同上要部の切断正面図
【図８】別例刈刃装置の要部の切断正面図
【図９】同上別例要部の切断正面図
【図１０】別例刈刃装置の要部の平面図
【図１１】Ａ…図１０のＳ１−Ｓ１断面及び（Ｂ）…図１０のＳ２−Ｓ２断面
【図１２】別例刈刃装置の要部の平面図
【図１３】Ａ…図１２のＳ１−Ｓ１断面及び（Ｂ）…図１２のＳ３−Ｓ３断面
【図１４】合わせ刃の平面図
【図１５】別例合わせ刃及び別例ガイドプレートの要部の斜視図
【図１６】同上要部の側断面図
【図１７】同上要部の正面図
【図１８】別例刈刃装置の要部の側断面図
【図１９】同上別例要部の側断面図
【図２０】別例刈刃装置の要部の斜視図
【図２１】同上別例要部の斜視図
【図２２】コンバインの側面図
【発明を実施するための形態】
【００１８】
この発明の実施例を図面に基づき説明する。
図２２には、本発明の刈刃装置を備えるコンバイン３３を示している。下側に走行装置３７を有する機体フレーム３１の前側に、圃場に植立する穀稈を分草する分草装置と、穀稈を引起す引起装置、引起された穀稈を掻き込んで挟持する掻込装置と、この掻込装置の下側に配置されて穀稈の株元を切断する刈刃装置３０を備えている。機体フレーム３１上には、左側に刈取装置から搬送された穀稈を脱穀する脱穀装置３３を搭載し、右側に脱穀後の穀粒を貯留するグレンタンク３４を搭載している。また、グレンタンク３４の後側には、このグレンタンク３４内から機外へ穀粒を排出するための排出装置３５を有し、グレンタンク３４の前側には、オペレータが搭乗して操作する操縦部３６が配置されている。
【００１９】
図１に示す実施例は、このコンバイン等に使用するバリカン式の刈刃装置３０を構成するもので、多数の刃単体（固定刃単体）１を有し、中央部に通常の刃単体より前方に大きく突設すると共に平面視で略三角形状の合わせ刃（中央固定刈刃）２をもつ固定刈刃（下刃）３を左右横方向に沿わせた状態で刈取支持フレーム６に固定し、多数の刃単体（可動刃単体）４を有する左右二組の横長の可動刈刃上刃５を固定刈刃３の上面側に沿わせて左右別々に往復動自在に設け、該可動刈刃上にはこの可動刈刃を固定刃上に押し付ける押え部材７を設けてある。そして、左右の可動刈刃５は、ヘッド側に固定した断面コ字形状の係合部Ｓに対して、クランク軸８の先端に軸支したベアリングＴを嵌合させ、このクランク軸８の回転駆動によって格別に駆動して、左右の可動刈刃が互いに反対方向（左右相反する方向）に往復摺動されるように構成している。
【００２０】
図２、図３及び図４に示すように、固定刈刃３の中央部に設けられた合わせ刃２の下部には、該合わせ刃と略同形状に形成され、導入された穀稈を左右に押し分けながらガイドするガイドプレート１０を設置している。
【００２１】
ガイドプレート１０は、この先端部を合わせ刃２の先端部よりも前方に長く延出させた状態に配置し、且つ、ガイドプレート１０の先端部を合わせ刃２の先端部よりも前方に突出させ、且つ、ガイドプレート１０の先端部における左右の縁部のなす角度を、合わせ刃２の先端部における左右の刃縁のなす角度よりも小さく設定して、先端部の左右分草ガイド辺１０Ｌ，１０Ｒが合わせ刃２の先端部より左右横幅方向に大きくなるように設定してある。これにより、ガイドプレートが合わせ刃２より先行して左右両側方に向けて分草ガイドしながら、合わせ刃２の鋸刃部２ａ，２ａまで導くように構成している。なお、合わせ刃２の鋸刃部（刃縁部）２ａ，２ａは、ガイドプレート１０先端部の分草ガイド辺１０Ｌ，１０Ｒ終端部位より後端側からは該ガイドプレート１０より外側にはみ出るようになっている。
【００２２】
また、ガイドプレート１０の先端部には、少なくとも合わせ刃２の先端部の前側を覆うように高く突出する分草体１１を設けている。この分草体１１は、図４例のように、ガイドプレートの先端部を上向きに折り曲げて構成することもできる。これによると、別ものを設置するものと比較して簡単に構成でき、コスト的にも安価に実施できる。
【００２３】
次に、図５例について説明すると、固定刈刃３は、左側刈刃３Ｌと右側刈刃３Ｒとに２分割してあり、左右を連結プレート１２でもって連結するように構成している。合わせ刃２の下部に設けるガイドプレート１０は、連結プレート１２でもって連結ボルトを介して共締めするように構成している。
【００２４】
図６及び図７例は、ガイドプレート１０と連結プレート１２を一体化した構成例を示し、部品点数の削減化を図っている。
図８例に示すように、ガイドプレート１０の分草ガイド面は、外側から内側下方に向けて傾斜する斜面Ｔｃに構成しておくと、穀稈の分草ガイド抵抗は、ガイドプレートの作用幅の広い面で受けることになるので、稈の乱れ、ガイドプレートの磨耗を軽減することができる。また、図９例のように、ガイドプレート１０の分草ガイド面を丸棒１３で構成しておくと、稈の抵抗を曲面で受けることにより、稈の乱れとガイドプレートの磨耗を軽減することができる。
【００２５】
図１０及び図１１例について説明すると、合わせ刃２の鋸刃部２ａに対応するガイドプレート１０の分草ガイド面は、その合わせ刃２よりも小さく（図１１（Ａ）のＳ１−Ｓ１断面参照）し、ガイドプレート１０の合わせ刃鋸刃部２ａ部分より先端部は、合わせ刃２と略同形状（図１１（Ｂ）のＳ２−Ｓ２断面参照）に構成している。
【００２６】
また、図１２及び図１３例では、合わせ刃２の鋸刃部２ａに対応するガイドプレート１０の分草ガイド面は、図１０及び図１１例と同様に、合わせ刃２よりも小さく（図１２（Ａ）のＳ１−Ｓ１断面参照）設定するが、合わせ刃の鋸刃部２ａ部分よりもガイドプレート１０の先端部は、合わせ刃２よりも大きく（図１３（Ｂ）のＳ３−Ｓ３断面参照）している。
【００２７】
図１４例に示す合わせ刃２は、鋸刃部２ａよりも先端部２ｂの形状を鋸刃の外周ラインよりもＬ寸法分外側に張り出した構成としている。
図１５例に示すように、合わせ刃２の先端部を切り落して平面視で略台形状に形成し、ガイドプレート１０の先端部上面には、少なくとも合わせ刃２の前側を覆うべく高さ位置にあって平面視略三角形状の分草体１１を突設図１６参照している。また、この分草体１１の高さは、図１８に示すように、可動刈刃（上刃）５の上下高さ範囲内に設定するものであってもよく、更に、分草体１１の上面は、図１９に示すように、可動刈刃５の上面よりも上方に設定するものであってもよい。
【００２８】
なお、ガイドプレート１０の先端部下面を前方昇り傾斜状にカットしておくと図１８、図１９参照、分草性能が向上する。
また、ガイドプレート１０先端部の分草体１１の形状を、図２０に示すような「Ｉ型」或は図２１に示すような「Ｖ型」に構成するものであってもよい。
【符号の説明】
【００２９】
１  刃単体（固定刃単体）
２  合わせ刃（中央固定刈刃）
３  固定刈刃
４  刃単体（可動刃単体）
５  可動刈刃
１０  ガイドプレート
１１  分草体
【図１】
2014007979.tif 000003
【図２】
2014007979.tif 000004
【図３】
2014007979.tif 000005
【図４】
2014007979.tif 000006
【図５】
2014007979.tif 000007
【図６】
2014007979.tif 000008
【図７】
2014007979.tif 000009
【図８】
2014007979.tif 000010
【図９】
2014007979.tif 000011
【図１０】
2014007979.tif 000012
【図１１】
2014007979.tif 000013
【図１２】
2014007979.tif 000014
【図１３】
2014007979.tif 000015
【図１４】
2014007979.tif 000016
【図１５】
2014007979.tif 000017
【図１６】
2014007979.tif 000018
【図１７】
2014007979.tif 000019
【図１８】
2014007979.tif 000020
【図１９】
2014007979.tif 000021
【図２０】
2014007979.tif 000022
【図２１】
2014007979.tif 000023
【図２２】
2014007979.tif 000024